(57)【特許請求の範囲】
【請求項１】
座部と、
前記座部の後方において座部を略水平に支持する一対のフレームと、
前記フレームを支持する脚部と、
前記フレームに支持される背もたれであって、
前記背もたれの幅方向中心から離れるにしたがって開口幅が狭くなり、上方に行くにしたがって開口高さが高くなるように形成され、各列と各行との間隔が等しくなるように配列された複数の貫通孔を有する樹脂製の背もたれと、
を備える椅子。
【請求項２】
前記貫通孔は、
着座した場合の上方向に凸となる弧を描くように配列される請求項１に記載の椅子。
【請求項３】
前記背もたれは、
左端下端部と、右端下端部とに貫通孔が設けられない空白部を備える請求項１又は請求項２に記載の椅子。
【請求項４】
前記座部は、
前記フレームに回転可能に支持され、
前記脚部は、
前脚部の前方キャスタの外側の両端の間隔が、後脚部の後方キャスタの内側の両端の間隔より狭くなるように、前記後脚部の間隔が床面に近づくに従って次第に広くなる請求項１から請求項３までのいずれか１項に記載の椅子。
【発明の詳細な説明】
【技術分野】
【０００１】
本発明は、椅子に関するものである。
【背景技術】
【０００２】
背もたれが樹脂によって形成される椅子が従来より製造されている。この樹脂は多少可撓性があるが椅子としての剛性が必要とされているため、着座した場合に硬い感じがするものとなっていた。
【０００３】
この点に関し、背もたれに多数の開口を設け、左右に隣接する開口間における上下方向に連続する連結片の前後寸法を左右寸法よりも大とする椅子が提案されている（例えば、特許第４９３２８７５号）。
【０００４】
この椅子によれば、背板に後向きの押圧荷重が加わった際に、拡開し、背板全体は、上下に並ぶ開口を中心として後方に凸曲面状に撓み易く、また、左右方向に並ぶ開口と直交する後方に対しては、十分な剛性を有し、撓みにくくなる。この技術によって、上下方向に撓みやすくなるため、上下方向については背もたれの座り心地が改善される。
【０００５】
しかし、左右方向については椅子としての剛性が重視されたため、撓み難くなっている。このため、座り心地が不自然なものとなっていた。
【先行技術文献】
【特許文献】
【０００６】
【特許文献１】特許第４９３２８７５号公報
【発明の概要】
【発明が解決しようとする課題】
【０００７】
本発明が解決しようとする課題は、剛性を確保しつつ、着座した場合により自然に撓む樹脂製の背もたれを有する椅子を提供することである。
【課題を解決するための手段】
【０００８】
前記課題を解決するため、本発明に係る椅子は、座部と、前記座部の後方において座部を略水平に支持する一対のフレームと、前記フレームを支持する脚部と、前記フレームに支持される背もたれであって、前記背もたれの幅方向中心から離れるにしたがって開口幅が狭くなり、上方に行くにしたがって開口高さが高くなるように形成され、各列と各行との間隔が等しくなるように配列された複数の貫通孔を有する樹脂製の背もたれと、を備える。
【発明の効果】
【０００９】
本発明によれば、剛性を確保しつつ、着座した場合により自然に撓む樹脂製の背もたれを有する椅子を提供できるという効果がある。
【図面の簡単な説明】
【００１０】
【図１】椅子の正面斜視図。
【図２】椅子の背面斜視図。
【図３】椅子の底面図。
【図４】椅子の正面図。
【図５】椅子の背面図。
【図６】背もたれの拡大図。
【図７】椅子の座部を跳ね上げた状態を示す図。
【図８】椅子をネスティングした場合の側面図。
【発明を実施するための形態】
【００１１】
以下、本発明にかかる椅子１の一実施形態を、図面を参照しながら説明する。本実施形態においては、座部を跳ね上げて起立させ、前後方向に重ねて収納可能であるネスティングできる椅子を例に説明するが、本発明は座部が跳ね上がらないタイプの椅子にも適用できる。
【００１２】
図１は椅子１の正面斜視図、図２は椅子１の背面斜視図、図３は椅子１の底面図である。図１から図３に示すように、椅子１は、背もたれ２Ａと、背もたれ２Ａを回転可能に、かつ略水平に支持するフレーム２と、フレーム２に取り付けられる一対の前脚部２Ｃ及び一対の後脚部と、座部３と、を備える。
【００１３】
背もたれ部２Ａは、樹脂によって成形され、一定の規則に従って形状が変化する複数の貫通孔を有する。前脚部２Ｃの接地部位側の先端部には前方キャスタ４Ｃが、後脚部２Ｂの接地部位側の先端部には後方キャスタ４Ｂが、それぞれ取り付けられる。
【００１４】
座部３は、フレーム２に回転可能に設置される。また、フレーム２には支持部材５が架け渡される。座部３は支持部材５と当接する受け部２６を備える。座部３が回転して座位に位置する場合、受け部２６は支持部材５に当接して回転が規制される。
【００１５】
フレーム２は座部３の幅方向外側にそれぞれ配置される。従って、フレーム２は座部３を幅方向両側から挟むように配置されることとなる。
【００１６】
図４は椅子１の正面図、図５は椅子１の背面図である。図４及び図５に示すように、フレーム２は、２本の前脚部２Ｃ及び２本の後脚部２Ｂによって支持される。後脚部２Ｂはフレーム２から椅子１の後方向かつ床面方向に斜めに、略一直線に延びる。後脚部２Ｂは、間隔がフレーム２から床面に向かって次第に広くなるようにフレーム２に取り付けられる。
【００１７】
前脚部２Ｃは、フレーム２から椅子１の前方向かつ床面方向に斜めに延び、床面の手前において床面に対して略垂直に曲がる。
【００１８】
フレーム２は、座部３の取り付け部分における間隔が後脚部２Ｂの間隔と略等しい。従って、座部３の幅をフレーム２と干渉しない広さまで、広く取ることが可能となる。
【００１９】
フレーム２は、床面に向かって座部３の取り付け部分を過ぎた部分において内側に略垂直に屈曲し、さらに座部３の縁の直下付近において、つまり後脚部２Ｂの幅方向の厚さ分だけ横方向に直進した後に略垂直に屈曲し、床面方向に斜めに延びる。
【００２０】
前脚部２Ｃの前方キャスタ４Ｃの外側の両端の間隔Ｗ１は後方キャスタ４Ｂの内側の両端の間隔Ｗ２より狭くなるように、後脚部２Ｂの間隔は床面に近づくに従って次第に広くなる。従って、前脚部２Ｃはネスティングした場合に他の椅子１の後脚部２Ｂと物理干渉を起こさない。
【００２１】
図６は、背もたれ２Ａの拡大図である。図６に示すように、背もたれ２Ａは形状が一定の規則に従って変化する複数の貫通孔を備える。貫通孔の形状は、長方形であることが加工や設計の点から望ましい。貫通孔の形状は、長方形以外にも楕円や三角形以上の多角形であってもよい。また、貫通孔が多角形である場合には角は円弧状に形成されていてもよい。
【００２２】
背もたれ２Ａの材質は、ポリプロピレンが望ましく、可撓性の範囲は曲げ弾性率１，０００〜２，０００［Ｍｐａ］が望ましい。
【００２３】
貫通孔の数は、１５列以上２２列以下、１０行以上１４行以下が剛性を確保しつつ柔軟性を保つ上から望ましい。これ以上増やす場合には、材質をより強度のあるものに、これ以下に減らす場合には材質をより柔軟性のあるものに変更しなければならない。
【００２４】
貫通孔の配列は、横方向に関しては一点鎖線Ｘ１に示すように、着座した場合の上方向に凸となる弧を描くように配列される。このように配列することにより、背もたれ２Ａによりかかった場合に背中に合わせてより自然に背もたれ２Ａが撓む。縦方向に関しては、一点鎖線Ｘ２に示すように、直線状に配列される。このように配列することにより、背もたれ２Ａによりかかった場合、背筋に沿ってより自然に背もたれ２Ａが撓む。
【００２５】
貫通孔の形状は、横方向に関しては幅方向中心から離れるにしたがって貫通孔の横幅である開口幅Ｌ１が狭くなるように変化し、縦方向に関しては上方から下方に向かって開口高さＨ１が低くなるように変化する。
【００２６】
例えば、貫通孔の開口幅Ｌ１は、最上段の中心付近の第１の貫通孔６０２から離れるにしたがって狭くなり、右端の第２の貫通孔６０４Ｒ及び左端の第３の貫通孔６０４Ｌの幅が貫通孔の中において最も狭くなる。貫通孔の形状は背もたれ２Ａの中心軸を対象軸にして左右対称であるため、右端の第２の貫通孔６０４Ｒの幅と左端の第３の貫通孔６０４Ｌの幅は略等しい。
【００２７】
また、貫通孔の開口高さＨ１は、下方に行くに従って次第に低くなるため、寄りかかったときに主に背中が当たる部分である、背もたれ２Ａの高さ方向中心位置よりやや高い部分の第４の貫通孔６０１と比較すると、上端の第１の貫通孔６０２は開口高さＨ１が高く、下端の第６の貫通孔６０３は開口高さＨ１が低くなる。
【００２８】
この結果、主に背中が当たる部分の第４の貫通孔６０１は略正方形、或いは円、又は正多角形となり、上方に行くにしたがって縦長になり、左右方向に離れるにしたがって幅が細くなる。
【００２９】
貫通孔の縦の列とこれに隣接する貫通孔の縦の列との間の幅は、各列において等しい、また、貫通孔の横の行とこれに隣接する貫通孔の横の行の間の間隔は、各行において等しい。また、左端下端部６０６Ｌと、右端下端部６０６Ｒとには貫通孔が設けられない空白部が設けられる。この部分は撓む必要がないからである。
【００３０】
貫通孔の高さが高いほどより軽い力によって上下方向に撓み、貫通孔の幅が広いほどより軽い力によって横方向に撓む。従って、上記のように貫通孔を形成して配列すると、背もたれ２Ａに寄りかかったときに、主に背中が当たる部分が椅子１の後方により沈むように撓み、この部分より上方に行くにしたがって上下方向に撓みやすくなる。また、背中が当たらない部分は貫通孔の大きさが小さにため、より剛性が確保できる。
【００３１】
図７は、椅子１の座部３を跳ね上げた状態を示す図である。図７に示すように、座部３は、座部３の後方において支持部２Ｄによってフレーム２に回転可能に、かつ略水平に支持されているため、背もたれ２Ａの方向に回転されることにより跳ね上げられる。
【００３２】
座部３が跳ね上げられると、座部３と他の椅子１の背もたれ２Ａとが物理干渉を起こさなくなるため、ネスティングが可能となる。
【００３３】
図８は、椅子１をネスティングした場合の側面図である。図８に示すように、図８に向かって右端の椅子１の前脚部２Ｃはその左側に隣接する椅子１の後脚部２Ｂの間に入り込む。本実施形態の椅子１は、フレーム２の屈曲部に案内部を有するバンパー３１を備えていてもよい。ネスティングをする際、隣接する椅子１の後脚部２Ｂは、ネスティングの初期の段階において多少角度がずれていてもバンパー３１の案内部に案内され、適切な位置に密集してネスティングされる。
【００３４】
以上述べたように、本実施形態の椅子１は、座部３と、座部３の後方において座部３を回転可能に、かつ略水平に支持する一対のフレーム２と、フレーム２を支持する脚部と、フレーム２に支持される背もたれであって、前記背もたれの幅方向中心から離れるにしたがって開口幅Ｌ１が狭くなり、上方に行くにしたがって開口高さＨ１が高くなるように形成され、各列と各行との間隔が等しくなるように配列された複数の貫通孔を有する樹脂製の背もたれと、を備える。
【００３５】
従って、剛性を確保しつつ、着座した場合により自然に撓む樹脂製の背もたれを有する椅子を提供することができる。
【符号の説明】
【００３６】
１  椅子
２  フレーム
２Ａ  背もたれ部
２Ｂ  後脚部
２Ｃ  前脚部
２Ｄ  支持部
３  座部
４Ｂ  後方キャスタ
４Ｃ  前方キャスタ
５  支持部材
１４  行以上
２２  列以上
２６  受け部
３１  バンパー
６０１  第４の貫通孔
６０２  第１の貫通孔
６０３  第６の貫通孔
６０４Ｌ  第３の貫通孔
６０４Ｒ  第２の貫通孔
６０６Ｌ  左端下端部
６０６Ｒ  右端下端部
【図１】
0006640533.tif 000002
【図２】
0006640533.tif 000003
【図３】
0006640533.tif 000004
【図４】
0006640533.tif 000005
【図５】
0006640533.tif 000006
【図６】
0006640533.tif 000007
【図７】
0006640533.tif 000008
【図８】
0006640533.tif 000009